(57)【要約】【課題】番組情報の記録時にＣＭ部分の開始と終了の時間情報を取得しておくことで、編集時にそのＣＭ部分のみを目視により順次サーチし、必要であれば手動編集に切り換えＣＭカットが行えるように構成する。【解決手段】記録した番組情報の編集時、制御部１は、記憶部１１に記憶されている時間情報に基づいて一連のＣＭ部分の再生を終了すると、再生を終了したＣＭ部分をカットするか否かの確認画面をテレビ３０のモニタに表示し、表示された確認画面に基づいてカットすることが選択された場合には、そのＣＭ部分を本編からカットする一方、表示された確認画面に基づいて手動編集が選択された場合には、手動によるＣＭ部分のカット処理に移行するといった処理を、記憶部１１に記憶されている時間情報に基づいて順次再生される全てのＣＭ部分について実行する。【選択図】図１
0003128618.tif 000002
【実用新案登録請求の範囲】
【請求項１】
番組情報を内蔵のハードディスクに記録するとともに、記録した番組情報を編集する編集制御手段を備えた情報記録再生装置において、
番組情報の記録時に、番組情報に含まれる音声信号のモードを検出することでコマーシャル部分を検出するＣＭ検出手段と、
前記ＣＭ検出手段により検出されたコマーシャル部分の開始と終了の時間情報を取得して内蔵の不揮発性メモリに記憶する時間情報記憶手段と、
番組情報の放送時間に対応してコマーシャル部分が挿入されていると予想される時間帯より若干幅を持たせた時間帯の開始と終了の時間情報を予め登録している時間テーブルとを備えており、
前記時間情報記憶手段は、番組情報の記録開始から予め設定されている所定時間が経過しても前記ＣＭ検出手段により検出される音声信号のモードがステレオモードのままである場合には、以後、前記時間テーブルも参照し、記録している番組情報の放送時間に対応した時間テーブルから番組情報に含まれるコマーシャル部分の開始と終了の時間情報を取得して前記不揮発性メモリに記憶し、
記録した番組情報の編集時、前記編集制御手段は、前記不揮発性メモリに記憶されている時間情報に基づいて一連のコマーシャル部分の再生を終了すると、再生を終了したコマーシャル部分をカットするか否かの確認画面を表示手段に表示し、表示された確認画面に基づいてカットすることが選択された場合には、そのコマーシャル部分を本編からカットする一方、表示された確認画面に基づいて手動編集が選択された場合には、手動によるコマーシャル部分のカット処理に移行するといった処理を、前記不揮発性メモリに記憶されている時間情報に基づいて順次再生される全てのコマーシャル部分について実行することを特徴とするハードディスク内蔵型ＤＶＤレコーダ。
【請求項２】
番組情報を内蔵の記録媒体に記録するとともに、記録した番組情報を編集する編集制御手段を備えた情報記録再生装置において、
番組情報の記録時にコマーシャル部分を検出するＣＭ検出手段と、
前記ＣＭ検出手段により検出されたコマーシャル部分の開始と終了の時間情報を取得して記憶媒体に記憶する時間情報記憶手段とを備えており、
記録した番組情報の編集時、前記編集制御手段は、前記記憶媒体に記憶されている時間情報に基づいて一連のコマーシャル部分の再生を終了すると、再生を終了したコマーシャル部分をカットするか否かの確認画面を表示手段に表示し、表示された確認画面に基づいてカットすることが選択された場合には、そのコマーシャル部分を本編からカットする一方、表示された確認画面に基づいて手動編集が選択された場合には、手動によるコマーシャル部分のカット処理に移行するといった処理を、前記記憶手段に記憶されている時間情報に基づいて順次再生される全てのコマーシャル部分について実行することを特徴とする情報記録再生装置。
【請求項３】
前記ＣＭ検出手段は、番組情報に含まれる音声信号のモードを検出することでコマーシャル部分を検出することを特徴とする請求項２に記載の情報記録再生装置。
【請求項４】
前記ＣＭ検出手段は、番組情報に含まれる音声信号の音量レベルと予め設定されている基準レベルとを比較し、音声信号の音量レベルが基準レベルを超えることでコマーシャル部分を検出することを特徴とする請求項２に記載の情報記録再生装置。
【請求項５】
番組情報の放送時間に対応してコマーシャル部分が挿入されていると予想される時間帯より若干幅を持たせた時間帯の開始と終了の時間情報を予め登録している時間テーブルを備えており、
前記時間情報記憶手段は、番組情報の記録開始から予め設定されている所定時間が経過しても前記ＣＭ検出手段により検出される音声信号のモードがステレオモードのままである場合には、以後、前記時間テーブルを参照し、記録している番組情報の放送時間に対応した時間テーブルから番組情報に含まれるコマーシャル部分の開始と終了の時間情報を取得して前記記憶媒体に記憶することを特徴とする請求項３に記載の情報記録再生装置。
【請求項６】
番組情報の放送時間及び番組内容の詳細情報に対応してコマーシャル部分が挿入されていると予想される時間帯より若干幅を持たせた時間帯の開始と終了の時間情報を予め登録している時間テーブルと、
番組内容の詳細情報を取得する詳細情報取得手段とを備えており、
前記時間情報記憶手段は、番組情報の記録開始から予め設定されている所定時間が経過しても前記ＣＭ検出手段により検出される音声信号のモードがステレオモードのままである場合には、以後、前記時間テーブルを参照し、記録している番組の放送時間及び前記詳細情報取得手段により取得した番組内容の詳細情報に対応した時間テーブルから番組情報に含まれるコマーシャル部分の開始と終了の時間情報を取得して前記記憶媒体に記憶することを特徴とする請求項３に記載の情報記録再生装置。
【請求項７】
前記記録媒体がハードディスクであり、前記記憶媒体が不揮発性メモリであることを特徴とする請求項２ないし請求項６のいずれかに記載の情報記録再生装置。
【考案の詳細な説明】
【技術分野】
【０００１】
本考案は、番組情報を内蔵のハードディスクに記録するとともに、記録した番組情報を編集する編集制御手段を備えたハードディスク内蔵型ＤＶＤレコーダ等の情報記録再生装置に関する。
【背景技術】
【０００２】
従来から、番組情報の記録時または記録した番組情報の編集時に、コマーシャル（ＣＭ）部分を精度よく検出して本編部分からＣＭ部分をカットするといった各種の編集を行う手法が種々提案されている（例えば、特許文献１〜３等参照）。
【０００３】
特許文献1に記載の記録再生装置は、番組の信号を光ディスクに記録する際に、無音検出回路とシーンチェンジ検出回路との検出結果から、番組本編以外のＣＭ区間を検出し、そのＣＭ区間の位置を示す区間情報を光ディスクに記録する。そして、光ディスクに記録された番組の信号を再生する時に、光ディスクに記録されている区間情報を読み出すことにより、ＣＭ部分によって分断されている番組本編を連続して再生するとともに、番組本編と同時にＣＭ部分をも再生する構成となっている。
【０００４】
また、特許文献２に記載の信号処理装置は、復調されたＴＶ放送信号の音声及び映像信号から、１５，３０，６０秒間隔で発生する特徴的パターンに基づいてＣＭの候補区間を検出し、そのＣＭ候補区間内またはその前後の音声及び映像信号から、ＣＭらしさを表わす特徴量を抽出し、その特徴量に基づきＣＭ区間を検出する構成となっている。
【０００５】
特許文献３に記載の編集機能付き映像記録再生装置は、複数の映像データを順々に再生していく再生装置において、ユーザの編集機能実行操作時の編集ポイントのサーチ操作に対して自動的に編集ポイントを補正する機能を備えている。より具体的には、入力操作手段による入力時刻での編集ポイントと編集ポイント直前の最も近い映像の切り替え点とを利用して編集ポイントを再決定することで、ＣＭ検出機能としてＣＭを正確にカットすることができる構成となっている。
【特許文献１】特開２００３−１７４６１４号公報
【特許文献２】特開２００２−１６８７３号公報
【特許文献３】特開２００２−２８１４３１号公報
【考案の開示】
【考案が解決しようとする課題】
【０００６】
上記特許文献１記載の装置によれば、記録した番組情報の再生時に、本編部分からＣＭ部分を自動的にカットして再生することができる。しかし、上記特許文献１記載の装置では、無音検出回路とシーンチェンジ検出回路との検出結果から、番組本編以外のＣＭ区間を検出しているが、このような検出手法によっても、ＣＭ部分と本編部分との境界を完全に誤差なく検出することは難しく、ＣＭ部分に本編部分の一部が含まれてしまう場合もある。このような場合には、連続再生した本編部分からその一部がカットされていることになるが、特許文献１記載の装置では、それを確認する手段を備えていない。そのため、ユーザは、本編部分が一部カットされているにも係わらず、それに気付かずに視聴することになるといった問題があった。
【０００７】
また、上記特許文献２記載の装置によれば、１５，３０，６０秒間隔で発生する特徴的パターンに基づいてＣＭの候補区間を検出しているが、このような検出手法によっても、ＣＭ部分と本編部分との境界を完全に誤差なく検出することは難しい。従って、このような検出手法を用いてＣＭ部分をカットした場合に、そのＣＭ部分に本編部分の一部が含まれていた場合には、連続再生した本編部分からその一部がカットされていることになるが、特許文献２記載の装置では、それを確認する手段を備えていない。そのため、ユーザは、本編部分が一部カットされているにも係わらず、それに気付かずに視聴することになるといった問題があった。
【０００８】
また、上記特許文献３記載の装置によれば、ユーザの編集機能実行操作によってＣＭ部分を正確にカットすることができるが、この場合、特許文献３記載の装置では、記録した番組情報を最初からサーチし、本編部分を例えば早送り若しくはスキップしながらＣＭ部分にくると、編集機能実行操作を行ってＣＭ部分をカットする、という操作を番組情報の最後まで繰り返し行わなければならないため、ＣＭカットに時間がかかるといった問題があった。
【０００９】
本考案はかかる問題点を解決すべく創案されたもので、その目的は、番組情報の記録時にＣＭ部分の開始と終了の時間情報を取得しておくことで、編集時にそのＣＭ部分のみを目視により順次サーチし、必要であれば手動編集に切り換えてＣＭカットが行えるように構成することで、ＣＭカット処理を迅速かつ確実に行えるようにしたハードディスク内蔵型ＤＶＤレコーダ及び情報記録再生装置を提供することにある。
【課題を解決するための手段】
【００１０】
上記課題を解決するため、本考案の情報記録再生装置は、番組情報を内蔵の記録媒体に記録するとともに、記録した番組情報を編集する編集制御手段を備えた情報記録再生装置において、番組情報の記録時にコマーシャル部分を検出するＣＭ検出手段と、前記ＣＭ検出手段により検出されたコマーシャル部分の開始と終了の時間情報を取得して記憶媒体に記憶する時間情報記憶手段とを備えており、記録した番組情報の編集時、前記編集制御手段は、前記記憶媒体に記憶されている時間情報に基づいて一連のコマーシャル部分の再生を終了すると、再生を終了したコマーシャル部分をカットするか否かの確認画面を表示手段に表示し、表示された確認画面に基づいてカットすることが選択された場合には、そのコマーシャル部分を本編からカットする一方、表示された確認画面に基づいて手動編集が選択された場合には、手動によるコマーシャル部分のカット処理に移行するといった処理を、前記記憶手段に記憶されている時間情報に基づいて順次再生される全てのコマーシャル部分について実行することを特徴とするものである。ここで、前記記録媒体としてはハードディスク（ＨＤ）の利用が可能であり、前記記憶媒体としてはＥＥＰＲＯＭやフラッシュメモリ等の不揮発性メモリの利用が可能である。
【００１１】
このような特徴を有する本考案によれば、番組情報の記録時には本編及びＣＭを含む全ての番組情報を記録する一方、ＣＭ部分については、ＣＭ検出手段により検出されたＣＭ部分の開始と終了の時間情報を取得して記憶媒体である例えば不揮発性メモリ（ＥＥＰＲＯＭやフラッシュメモリ等）に記憶する。これにより、編集時には、この記憶媒体に記憶されている時間情報に基づいて、検出されたＣＭ部分のみを再生することができるので、ユーザはこの連続再生されるＣＭ部分のみを目視により確認しながら、その再生されるＣＭ部分をそのままカットするか否かを判断することができる。そして、再生された一連のＣＭ部分に本編部分が含まれていないことを確認すると、確認画面に表示された例えば「自動カット」を選択することで、そのＣＭ部分を自動カットする。一方、再生された一連のＣＭ部分に本編部分が含まれていることを確認すると、確認画面に表示された例えば「手動カット」を選択することで、そのＣＭ部分については手動操作によるＣＭ部分の開始や終了の再設定後にカットする。このように、ユーザによる手動編集では、記録時に予め取得したＣＭ部分の時間情報に基づいてＣＭ部分のみを再生しながら、ＣＭカットの編集を行うことができるので、編集作業時間を短縮することができる。また、最終的にはユーザの目視によるＣＭカット編集であるので、ＣＭ部分のみを確実にカットすることが可能となる。
【００１２】
ここで、本考案では、前記ＣＭ検出手段は、番組情報に含まれる音声信号のモードを検出することでＣＭ部分を検出する構成とすることができる。通常、本編部分はモノラルモード若しくは２か国語モードで放送されており、ＣＭ部分はステレオモードで放送されているので、ＣＭ検出手段ではこのステレオモードを検出することでＣＭ部分を検出することができる。
【００１３】
また、番組を視聴していても分かるように、本編部分の音量に比べてＣＭ部分の音量が若干大きくなるように設定されている。従って、この点に着目したＣＭ検出も可能である。すなわち、本考案では、前記ＣＭ検出手段は、番組情報に含まれる音声信号の音量レベルと予め設定されている基準レベル（本編部分の音量レベルより大きく、かつ、ＣＭ部分の音量レベルより小さい音量レベル）とを比較し、音声信号の音量レベルが基準レベルを超えることでＣＭ部分を検出する構成とすることができる。
【００１４】
ところで、ＣＭ検出手段の検出手法として、上記のステレオモードを検出する手法では、放送番組が音楽番組等、本編自体もステレオモードであった場合に、記録した番組情報の全てをＣＭ部分であると判断してしまうことになる。そのため、ＣＭ部分の時間情報として、番組情報の開始と終了を記憶媒体に記憶することになり、本来のＣＭ部分の時間情報を取得することが不可能となる。
【００１５】
そこで、本考案ではこのような状況を考慮し、番組情報の放送時間（３０分番組、１時間番組、２時間番組等）に対応してＣＭ部分が挿入されていると予想される時間帯より若干幅を持たせた時間帯の開始と終了の時間情報を予め登録している時間テーブルを備えた構成としている。すなわち、上記の例で言えば、３０分用の時間テーブル、１時間用の時間テーブル、２時間用の時間テーブルの３種類を用意する。そして、前記時間情報記憶手段は、番組情報の記録開始から予め設定されている所定時間が経過しても前記ＣＭ検出手段により検出される音声信号のモードがステレオモードのままである場合には、以後、前記時間テーブルを参照し、記録している番組情報の放送時間に対応した時間テーブルから番組情報に含まれるＣＭ部分の開始と終了の時間情報を取得して前記記憶媒体に記憶する構成としている。
【００１６】
すなわち、番組情報の記録開始から予め設定されている所定時間（例えば、５分等）が経過してもＣＭ検出手段により検出される音声信号のモードがステレオモードのままである場合には、放送番組自体が音楽番組等のステレオモードで放送されている番組であると判断できるので、この場合には、放送時間に対応した時間テーブルを用いて、ＣＭが挿入されていると予測されるおおよその時間情報を取得し、この時間情報を記憶媒体に記憶する。すなわち、実際に記録するときの番組情報からＣＭ部分を検出するのではなく、時間テーブルに予め登録されているＣＭ部分の予測時間情報を利用する。この場合、実際にＣＭを放送する時間帯が番組の都合上若干ずれた場合でも、時間テーブルに登録されている予測時間情報は、通常放送される一連のＣＭの放送時間（例えば、３分等）より若干長めの時間（例えば、５分等）に設定されているので、実際のＣＭの放送時間が若干ずれた場合でも、この予測時間情報で指定される５分の範囲内に入ってさえいれば、本編部分を含むもののＣＭ部分を確実に検出することができる。すなわち、後の編集作業において、ＣＭサーチ時にＣＭ部分を飛ばしてしまうといった不具合は発生しない。
【００１７】
また、本考案では、上記の放送時間にのみ対応した時間テーブルとは別に、番組情報の放送時間及び番組内容の詳細情報の両方に対応してＣＭ部分が挿入されていると予想される時間帯より若干幅を持たせた時間帯の開始と終了の時間情報を予め登録している時間テーブルと、番組内容の詳細情報（例えば、電子番組表（ＥＰＧ）データ等）を取得する詳細情報取得手段とを備えていてもよい。そして、前記時間情報記憶手段は、番組情報の記録開始から予め設定されている所定時間が経過しても前記ＣＭ検出手段により検出される音声信号のモードがステレオモードのままである場合には、以後、前記時間テーブルを参照し、記録している番組の放送時間及び前記詳細情報取得手段により取得した番組内容の詳細情報に対応した時間テーブルから番組情報に含まれるＣＭ部分の開始と終了の時間情報を取得して前記記憶媒体に記憶する構成としている。
【００１８】
すなわち、放送時間のみならず番組内容（例えば、ドラマ、バラエティー、スポーツ等の番組ジャンル）に特有のＣＭ放送パターンがある場合には、そのパターンも考慮して予測時間情報を設定する。これにより、本編に挿入されているＣＭ部分をより精度よく検出することが可能となり、その後の編集作業において、ＣＭサーチ時にＣＭ部分を飛ばしてしまうといった不具合は発生しない。
【００１９】
なお、上記情報記録再生装置の一例としては、ハードディスク内蔵型のＤＶＤレコーダや、ハードディスクレコーダ等の光ディスク装置を例示することができる。
【考案の効果】
【００２０】
本考案によれば、ＣＭカットの手動編集作業時に、記録時に予め取得したＣＭ部分の時間情報に基づいてＣＭ部分のみを再生しながら、ＣＭカットの編集を行うことができるので、編集作業時間を短縮することができる。また、最終的にはユーザの目視によるＣＭカット編集であるので、ＣＭ部分のみを迅速かつ確実にカットすることができる。
【００２１】
また、本考案によれば、時間テーブルを用いてＣＭ部分の開始と終了の時間情報を取得するように構成したので、例えば本編部分が音楽番組等のステレオモードであるためにＣＭ部分を番組情報から直接には検出できない場合でも、時間テーブルを利用してＣＭ部分の開始と終了を予測することができる。従って、ＣＭカットの手動編集作業時に、時間テーブルから取得したＣＭ部分の時間情報に基づいてＣＭ部分のみを再生しながら、ＣＭカットの編集を行うことができるので、編集作業時間を短縮することができる。また、最終的にはユーザの目視によるＣＭカット編集であるので、ＣＭ部分のみを迅速かつ確実にカットすることができる。
【考案を実施するための最良の形態】
【００２２】
以下、本考案の実施の形態について、図面を参照して説明する。
【００２３】
＜実施形態１＞
図１は、本考案の映像記録再生装置の実施形態１に係るハードディスク（ＨＤ）内蔵型ＤＶＤレコーダの電気的構成を示すブロック図である。
【００２４】
本実施形態１のＨＤ内蔵型ＤＶＤレコーダは、制御部１、テレビ番組等の放送信号（番組情報）を受信するアンテナ２に接続されたチューナ３、信号処理部４、記録媒体であるＤＶＤ（ＤｉｇｉｔａｌＶｅｒｓａｔｉｌｅ Ｄｉｓｋ）２０の着脱が可能なディスク読書部５、リモコン１５からのコントロール信号を受信するリモコン受信部６、表示部７、操作部８、内蔵のハードディスク（ＨＤ）９、受信した番組情報に含まれるコマーシャル（ＣＭ）部分を検出するＣＭ検出部１０、記憶部１１からなり、信号処理部４の出力がテレビジョン受像機（以下、テレビという）３０に接続されている。
【００２５】
制御部１は、ＣＰＵ１ａ、メモリ部１ｂ、及び再生や録画等の時間をカウントするカウンタ１ｃ等から構成されている。メモリ部１ｂは、本コレーダの各種動作プログラムが格納されたＲＯＭ、動作時には種々のデータの一時保存やワークエリアとして働くＲＡＭ等からなる。チューナ３は、アンテナ２で受信した放送信号から映像を含んだアナログの信号を抽出する。信号処理部４は、アナログやデジタルの信号処理用の回路から構成されている。この信号処理部４は、チューナ３から入力されるアナログの信号をテレビ３０に出力したり、デジタル化した後にＭＰＥＧ２（ＭｏｖｉｎｇＰｉｃｔｕｒｅ Ｅｘｐｅｒｔｓ ＧｒｏｕｐＰｈａｓｅ２）形式等の圧縮されたデータに処理してディスク読書部５や制御部１に出力する。
【００２６】
ディスク読書部５は、ピックアップやピックアップ駆動回路やディスク駆動回路等から構成されている。このディスク読書部５は、信号処理部４から出力されるデータをＤＶＤ２０に記録したり、ＤＶＤ２０に記録されているデータを読み込んで信号処理部４に出力したりする。信号処理部４は、ディスク読書部５から出力されるＤＶＤ２０のデータを再生し、アナログの信号に処理した後テレビ３０に出力する。また、信号処理部４は、ＯＳＤ回路を備えており、制御部１からの制御により、テレビ３０のモニタにメニュー画面等の表示を行うようになっている。テレビ３０は信号処理部４から出力されるアナログの信号に基づいてＣＲＴ等のモニタに映像を映し出し、スピーカから音声を出力する。
【００２７】
表示部７は、現在時刻を含む各種時間や本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。
【００２８】
ＣＭ検出部１０は、チューナ３で受信され、信号処理部４で処理された放送信号（番組情報）に含まれる音声信号のモードを検出することでＣＭ部分を検出する。通常、本編部分はモノラルモード若しくは２か国語モードで放送されており、ＣＭ部分はステレオモードで放送されているので、ＣＭ検出部１０ではこのステレオモードを検出することでＣＭ部分を検出する。具体的には、音声信号のステレオモードからモノラルモードへまたはモノラルモードからステレオモードへのモード変化、ステレオモードから二カ国語モードへまたは二カ国語モードからステレオモードへのモード変化、モノラルモードから二カ国語モードへまたは二カ国語モードからモノラルモードへのモード変化を検出する。
【００２９】
ただし、ＣＭ検出部１０によるＣＭ部分の検出手法としては、上記した音声信号のモード検出の場合だけでなく、他の検出手法を採用することも可能である。例えば、番組の放送では、本編部分の音量に比べてＣＭ部分の音量が若干大きくなるように設定されている。従って、この点に着目したＣＭ検出が可能である。すなわち、ＣＭ検出部１０は、番組情報に含まれる音声信号の音量レベルを、内部に予め設定されている基準レベル（本編部分の音量レベルより大きく、かつ、ＣＭ部分の音量レベルより小さい音量レベル）と比較し、音声信号の音量レベルが基準レベルを超えた場合にＣＭ部分であると判断することでＣＭ部分を検出することができる。本実施形態では、ＣＭ検出部１０の検出手法として、上記いずれの手法を採用してもよい。
【００３０】
記憶部１１は、ＥＥＰＲＯＭやフラッシュメモリ等の不揮発性メモリからなり、ＣＭ検出部１０により検出されたＣＭ部分の開始と終了の時間情報を記憶する。
【００３１】
リモコン１５と操作部８には、再生、録画、早送り、巻戻し、及び停止といった本レコーダ１００の動作を指示するために操作するキーが設けられている。また、録画予約（タイマー録画）を設定するための録画キー等も設けられている。さらに、リモコン１５には、本考案の特徴であるＣＭカットの編集作業を行うための各種キー等も設けられている。
【００３２】
図２は、リモコン１５のキー配置の構造の一例を示す説明図である。ただし、図２には、本発明に係わるキーのみを図示しており、その他のキーについては図示を省略若しくは簡略化している。すなわち、リモコン１１には、電源キー１１１、テンキー１１２、メニューキー１１３、録画キー１１４、上下左右キー１１５、決定キー１１６、及びその他の各種機能キー１１７が設けられている。
【００３３】
制御部１は、例えばリモコン１５の電源キー１１１がオンされ、記録媒体として例えば内蔵のハードディスク９が選択されて、録画キー１１４が操作されると、外部からアンテナ２とチューナ３を通じて入力され、信号処理部４で圧縮処理された番組情報のデータを、ハードディスク９に記録する。このとき、同時再生（すなわち、テレビ３０での視聴）が選択されている場合には、記録と同時に再生し、再生したデータを信号処理部４によって処理した後、テレビ３０に出力する。これにより、録画中のテレビ番組がテレビ３０のモニタに映像として映し出され、スピーカから音声として出力される。
【００３４】
また、制御部１は、リモコン１５の録画キー１１４が操作されたり、予め設定された録画予約の録画開始時刻になると、チューナ３によって受信され、信号処理部４で圧縮処理された番組情報のデータを、ハードディスク９に記録して保存する。
【００３５】
また、制御部１は、ハードディスク９からＤＶＤ２０へのダビング機能を備えており、ダビングモードの設定に際しては、すぐにダビングを実行する「即実行ダビングモード」、ユーザがダビング実行時間を指定することでダビング予約を行う「時間指定ダビングモード」、本レコーダ側でダビング時間を設定する「オートダビングモード」のいずれかのダビングモードが選択可能となっている。この選択は、リモコン１５のキー操作によって行われるが、このダビング処理は本考案の要部ではないので、ここでは説明を省略する。
【００３６】
また、制御部１は、このようなダビング処理に先立ち、信号処理部４と連係してハードディスク９に記録した番組情報からＣＭ部分をカットする編集機能を備えている。すなわち、請求項に記載の編集制御手段は、制御部１と信号処理部４との連係によって実現されている。また、請求項に記載の時間情報記憶手段は、制御部１によって実現されている。
【００３７】
以下、このＣＭカット編集機能について、図３及び図４に示すフローチャートを参照して説明するが、まず、番組情報の記録時の処理動作について、図３に示すフローチャートを参照して説明し、その後で、ＣＭカット編集処理について、図４に示すフローチャートを参照して説明する。
【００３８】
−番組情報の記録時の処理動作の説明−
録画予約等の設定により、図示しない時計部の計時によって録画開始時刻になると、制御部１は、番組情報の録画を開始する。すなわち、外部からアンテナ２とチューナ３を通じて入力され、信号処理部４で圧縮処理された番組情報のデータを、ハードディスク９に記録する。
【００３９】
このとき制御部１は、ＣＭ検出部１０によってＣＭ部分を検出すると（ステップＳ１）、そのＣＭ部分の開始と終了の時間情報（具体的には、開始アドレスと終了アドレス）を記憶部１１に記憶する（ステップＳ２）。具体的には、図５に示すように、ＣＭ検出部１０によって音声信号がモノラルモードまたは２か国語モードからステレオモードに切り換わった時点の時間情報をＣＭ部分の開始時間情報（アドレスＡ）として取得し、ステレオモードからモノラルモードまたは２か国語モードに切り換わった時点の時間情報をＣＭ部分の終了時間情報（アドレスＢ）として取得し、このアドレスＡ，ＢをそのＣＭ部分の時間情報として記憶部１１に記憶する。なお、ここではＣＭ検出部１０の検出手法としてモード検出を例示している。制御部１では、このようなＣＭ部分の時間情報の取得と記憶部１１への記憶とを、録画動作が終了するまで、すなわちハードディスク９への記録動作が終了するまで（ステップＳ３でＹｅｓと判断されるまで）、繰り返す。これにより、録画した番組情報に含まれる全てのＣＭ部分の時間情報が記憶部１１に記憶されることになる。
【００４０】
−ＣＭカット編集処理の説明−
リモコン１５のメニューキー１１３を操作してテレビ３０の画面にメニューを表示し、その中から「ＣＭカット編集」を選択すると、制御部１は、ＣＭカット機能を開始する（ステップＳ１１）。すなわち、記憶部１１からＣＭ部分の時間情報を取得し（ステップＳ１２）、その取得した時間情報に従ってＣＭ部分を順次再生していく。この場合、ＣＭカット処理をより効率よく短時間で行えるように、例えばＣＭ部分の再生を早送り再生にするとか、スキップ再生にするようにしてもよい。ユーザは、テレビ３０の画面に順次表示されていくＣＭ部分を目視により確認しながら、ＣＭカット処理を行うことになる。
【００４１】
具体的に説明すると、制御部１は、記憶部１１に記憶されている時間情報に基づいて一連の（ひとかたまりの）ＣＭ部分の再生を終了すると（ステップＳ１３）、再生を一旦中止し（ステップＳ１４）、再生を終了したＣＭ部分をカットするか否かの確認画面をテレビ３０に表示する（ステップＳ１５）。確認画面には、再生を終了したＣＭ部分をそのままカットする場合に選択する「自動カット」と、一部に本編部分が含まれているために編集してからカットする場合に選択する「手動カット」の項目が表示されているので、ユーザは、視聴したＣＭ部分の状態に従っていずれかを選択する。
【００４２】
ここで、ユーザが表示された確認画面に従って「自動カット」を選択した場合（ステップＳ１６でＹｅｓと判断された場合）には、そのＣＭ部分をそのままカットする（ステップＳ１７）。すなわち、図５に示す例では、アドレスＡからＢまでを全てカットすることになる。
【００４３】
一方、表示された確認画面に従って「手動カット」を選択した場合（ステップＳ１６でＮｏと判断した場合）には、手動によるＣＭ部分のカット処理に移行する（ステップＳ１８）。例えば、図６に示すように、記憶部１１にはＣＭ部分としてアドレスＡからＢまでが記憶されているが、実際には、ＣＭ部分の後ろの方に若干の本編部分（斜線部分）が含まれていた場合には、ＣＭ部分の終了アドレスをＢからＢ′に変更する処理を手動で行い、その後、アドレスＡからＢ′までをカットする。このような手動によるＣＭ部分のカット処理をより効率的に行う技術については、従来から種々提案されており、本考案においてもこれらの技術を採用することが可能である。
【００４４】
そして、自動によるＣＭ部分のカット処理、または手動によるＣＭ部分のカット処理が終了すると、制御部１は、次に再生すべきＣＭ部分があるか否かを記憶部１１に記憶されている時間情報で確認し（ステップＳ１９）、次に再生すべきＣＭ部分がある場合（ステップＳ１９でＹｅｓと判断された場合）には、ステップＳ１２に戻って、次のＣＭ部分の再生を開始する。一方、次に再生すべきＣＭ部分がない場合（ステップＳ１９でＮｏと判断された場合）には、その時点でＣＭカットの編集処理を終了する。
【００４５】
以上説明したように、本実施形態１によれば、番組情報の記録時にＣＭ部分の開始と終了の時間情報を取得しておくことで、編集時にそのＣＭ部分のみを目視により順次サーチし、必要であれば手動編集に切り換えてＣＭカットが行えるので、ＣＭカット処理を迅速かつ確実に行うことができる。
【００４６】
＜実施形態２＞
ところで、ＣＭ検出部１０の検出手法として、上記実施形態１のステレオモードを検出する手法では、放送番組が音楽番組等、本編自体もステレオモードであった場合に、記録した番組情報の全てをＣＭ部分であると判断してしまうことになる。そのため、ＣＭ部分の時間情報として、番組情報の開始と終了を記憶部１１に記憶することになり、本来のＣＭ部分の時間情報を取得することが不可能となる。本実施形態２は、このような不具合を解消している。
【００４７】
すなわち、本実施形態２では、図７に示すように、上記実施形態１の構成に加え、後述する時間テーブルを格納した時間テーブル格納部１３をさらに備えた構成としている。
【００４８】
時間テーブル格納部１３は、ＥＥＰＲＯＭやフラッシュメモリ等の不揮発性メモリからなり、番組情報の放送時間（３０分番組、１時間番組、２時間番組等）に対応してＣＭ部分が挿入されていると予想される時間帯より若干幅を持たせた時間帯の開始と終了の時間情報が予め登録されている時間テーブルを格納している。すなわち、上記の例で言えば、３０分用の時間テーブル、１時間用の時間テーブル、２時間用の時間テーブルの３種類の時間テーブルを格納している。
【００４９】
３０分番組では、通常、図８に示すように、最初の５分程度と、開始から１５分前後と、終了直前の５分程度の３箇所にＣＭ部分が挿入されるのが一般的である。また、一度に放送されるＣＭの時間は短くて１分、通常は２分、長くても３分程度である。従って、３０分用の時間テーブルでは、このような挿入パターンとＣＭの放送時間とを考慮し、記録開始時からの５分間を最初のＣＭ部分、記録開始の１３分後から１８分までの５分間を２回目のＣＭ部分、記録開始の２５分後から３０分までの５分間を３回目のＣＭ部分と考え、これらに対応するＣＭ部分の開始と終了の時間情報を予測時間情報として、３０分用の時間テーブルに格納している。すなわち、３０分用の時間テーブルでは、図８に示すように、１回目のＣＭ部分の時間情報（予測時間情報）として、開始アドレスＡ１、終了アドレスＢ１、２回目のＣＭ部分の時間情報（予測時間情報）として、開始アドレスＡ２、終了アドレスＢ２、３回目のＣＭ部分の時間情報（予測時間情報）として、開始アドレスＡ３、終了アドレスＢ３を格納している。
【００５０】
なお、図示は省略しているが、１時間用の時間テーブル、２時間用の時間テーブルも同様にして予測したＣＭ部分の時間情報（予測時間情報）を格納している。
【００５１】
このように、本実施形態２では、実際に記録するときの番組情報からＣＭ部分を検出するのではなく、時間テーブルに予め登録されているＣＭ部分の予測時間情報を利用する。この場合、実際にＣＭを放送する時間帯が番組の都合上若干ずれた場合でも、時間テーブルに登録されている予測時間情報は、通常放送される一連のＣＭの放送時間（例えば、３分等）より若干長めの時間（５分等）に設定されているので、実際のＣＭの放送時間が若干ずれた場合でも、この予測時間情報で指定される５分の範囲内に入ってさえいれば、本編部分を若干含むもののＣＭ部分を確実に検出することができる。
【００５２】
次に、本実施形態２のハードディスク内蔵型のＤＶＤレコーダによるＣＭカット編集機能について説明するが、まず、番組情報の記録時の処理動作について、図９に示すフローチャートを参照して説明し、その後で、ＣＭカット編集処理について説明する。
【００５３】
−番組情報の記録時の処理動作の説明−
録画予約等の設定により、図示しない時計部の計時によって録画開始時刻になると、制御部１は、番組情報の録画を開始する。すなわち、外部からアンテナ２とチューナ３を通じて入力され、信号処理部４で圧縮処理された番組情報のデータを、ハードディスク９に記録する。
【００５４】
このとき制御部１は、ＣＭ検出部１０によってＣＭ部分の開始を検出すると（ステップＳ２１）、そのＣＭ部分の開始の時間情報（具体的には、開始アドレス）を記憶部１１に記憶する（ステップＳ２２）。このとき、制御部１は同時に、図示しないタイマー部を起動して、ＣＭ部分の開始からの時間を計測し（ステップＳ３）、その計測時間が５分を経過したか否かを監視する（ステップＳ２４）。その結果、計測開始から５分が経過するまでにＣＭ部分の終了を検出した場合（ステップＳ２４でＮｏ、ステップＳ２５でＹｅｓと判断された場合）には、ＣＭ部分の終了の時間情報（具体的には、終了アドレス）を記憶部１１に記憶し（ステップＳ２６）、タイマー部をリセットする（ステップＳ２７）。制御部１では、このようなＣＭ部分の時間情報（開始アドレスと終了アドレス）の取得と記憶部１１への記憶とを、録画動作が終了するまで、すなわちハードディスク９への記録動作が終了するまで（ステップＳ２８でＹｅｓと判断されるまで）、繰り返す。これにより、録画した番組情報に含まれる全てのＣＭ部分の時間情報が記憶部１１に記憶されることになる。
【００５５】
一方、記録している番組情報が音楽番組等、ステレオモードで放送されている場合には、ＣＭの開始を検出してから５分が経過してもＣＭ部分の終了を検出することができない。すなわち、ステップＳ２４での判断がＹｅｓとなる。従って、記録している番組情報自体がステレオモードで放送されていると判断し、この場合には時間テーブル格納部１３に格納されている時間テーブルを参照して、記録している番組情報の放送時間に対応した時間テーブルから番組情報に含まれるＣＭ部分の開始と終了の時間情報を取得し、記憶部１１記憶する（ステップＳ２９）。例えば、記録している番組情報が３０分番組である場合には、３０分用の時間テーブルから、図８に示すように、１回目のＣＭ部分の時間情報（開始アドレスＡ１、終了アドレスＢ１）を取得し、２回目のＣＭ部分の時間情報（開始アドレスＡ２、終了アドレスＢ２）を取得し、３回目のＣＭ部分の時間情報（開始アドレスＡ３、終了アドレスＢ３）を取得して、記憶部１１に記憶する。この後、制御部１は、タイマー部をリセットして（ステップＳ３０）、処理を終了する。
【００５６】
なお、本実施形態２では、記録しようとする放送番組が音楽番組等、本編自体もステレオモードであるために、ＣＭ検出部１０がＣＭ部分と本編とを区別して検出できない場合について説明しているが、この他の理由（例えば、ＣＭ検出部１０の不具合により正常に動作しなかった場合等）によりＣＭ部分を正常に検出できなかったような場合にも、本実施形態２の時間テーブルを使用することで、記録中の番組に挿入されているＣＭ部分の予測時間情報を取得することができる。
【００５７】
−ＣＭカット編集処理の説明−
本実施形態２のＣＭカット編集処理は、基本的に上記実施形態１の図４を参照して説明したＣＭカット編集処理と同じである。ただし、本実施形態２では、記憶部１１に記憶されているＣＭ部分の時間情報はあくまで予測の時間情報であるため、この時間情報に従って再生されたＣＭ部分には必ず本編部分が含まれることになる。そのため、ステップＳ１６での判断が常にＮｏとなるため、ユーザは、表示された確認画面に従って「手動カット」を選択することになり、ステップＳ１８の手動によるＣＭ部分のカット処理に移行することになる。これにより、番組情報が音楽番組等、ステレオモードで放送されていた場合でも、その後の編集時にＣＭ部分を確実に再生することができるので、簡単かつ確実にＣＭ部分をカットすることが可能となる。
【００５８】
＜実施形態３＞
本実施形態３では、図１０に示すように、上記実施形態１の構成に加え、電子番組表（ＥＰＧ）データを取得するＥＰＧ取得部１２と、後述する時間テーブルを格納した時間テーブル格納部１６とをさらに備えた構成としている。すなわち、ＥＰＧ取得部１２が請求項に記載の詳細情報取得手段に相当している。
【００５９】
ＥＰＧ取得部１２は、チューナ３で受信され、信号処理部４で処理された放送信号の中に含まれている電子番組表（ＥＰＧ）データを抽出する。電子番組表データの中には、その放送番組がドラマであるのか、バラエティーであるのか、映画であるのか、スポーツであるのか、といった放送ジャンルの情報も含まれている。本実施形態３では、このようなジャンル情報も考慮して時間テーブルを作成している。
【００６０】
時間テーブル格納部１６は、ＥＥＰＲＯＭやフラッシュメモリ等の不揮発性メモリからなり、番組情報の放送時間（３０分番組、１時間番組、２時間番組等）及び番組のジャンル情報（ドラマ、バラエティー、映画、スポーツ等）の両方に対応してＣＭ部分が挿入されていると予想される時間帯より若干幅を持たせた時間帯の開始と終了の時間情報が予め登録されている時間テーブルを格納している。すなわち、上記の例で言えば、３０分のドラマの時間テーブル、３０分のバラエティーの時間テーブル、・・・、１時間のドラマの時間テーブル、１時間のバラエティーの時間テーブル、・・・、２時間のドラマの時間テーブル、２時間のバラエティーの時間テーブル、２時間の映画の時間テーブル、２時間のスポーツの時間テーブル、・・・、等の各種の時間テーブルを格納している。すなわち、放送時間のみならず番組ジャンルに特有のＣＭ放送パターンがある場合には、そのパターンも考慮してＣＭ部分の予測時間情報を予め設定する。これにより、本編に挿入されているＣＭ部分をより精度よく検出することが可能となる。
【００６１】
次に、本実施形態3のハードディスク内蔵型のＤＶＤレコーダによるＣＭカット編集機能について説明するが、ここでは番組情報の記録時の処理動作について、上記実施形態２での処理と異なるところのみを図１１に示すフローチャートを参照して説明する。また、ＣＭカット編集処理については上記実施形態２の場合と同様であるので、ここでは説明を省略する。
【００６２】
−番組情報の記録時の処理動作の説明−
番組情報の記録時の処理動作で上記実施形態の処理と異なるところは、図９に示すステップＳ２４でＹｅｓと判断された場合のその後の処理である。
【００６３】
すなわち、制御部１は、ＥＰＧ取得部１２により取得された記録中の番組の詳細情報、すなわちジャンル情報を取得し（ステップＳ４１）、時間テーブル格納部１６に格納されている時間テーブルを参照して、記録している番組情報の放送時間及びジャンル情報に対応した時間テーブルから、記録中の番組情報に含まれるであろうＣＭ部分の開始と終了の予測時間情報を取得して、記憶部１１記憶する（ステップＳ４２）。この後、制御部１は、タイマー部をリセットして（ステップＳ４３）、処理を終了する。
【００６４】
すなわち、放送時間のみならず番組ジャンルに特有のＣＭ放送パターンがある場合には、そのパターンも考慮した予測時間情報を登録した時間テーブルを使用することで、本編に挿入されているＣＭ部分をより精度よく検出することが可能となる。
【００６５】
なお、本実施形態３も、上記実施形態２と同様、記録しようとする放送番組が音楽番組等、本編自体もステレオモードであるために、ＣＭ検出部１０がＣＭ部分と本編とを区別して検出できない場合を前提としているが、この他の理由（例えば、ＣＭ検出部１０の不具合により正常に動作しなかった場合等）によりＣＭ部分を正常に検出できなかったような場合にも、本実施形態３の時間テーブルを使用することで、記録中の番組に挿入されているＣＭ部分の予測時間情報を取得することができる。
【図面の簡単な説明】
【００６６】
【図１】本考案に係る情報記録再生装置の実施形態１であるハードディスク（ＨＤ）内蔵型ＤＶＤレコーダの電気的構成を示すブロック図である。
【図２】リモコンのキー配置の構造を示す説明図である。
【図３】実施形態１に係る番組情報の記録時の処理動作を示すフローチャートである。
【図４】実施形態１に係るＣＭカット編集処理を示すフローチャートである。
【図５】ＣＭ検出部でのＣＭ部分の検出例を示す説明図である。
【図６】手動によるＣＭカット編集処理の例を示す説明図である。
【図７】本考案に係る情報記録再生装置の実施形態２であるハードディスク（ＨＤ）内蔵型ＤＶＤレコーダの電気的構成を示すブロック図である。
【図８】３０分番組のＣＭ挿入パターンと、対応する時間テーブルに格納される時間情報の例とを示す説明図である。
【図９】実施形態２に係る番組情報の記録時の処理動作を示すフローチャートである。
【図１０】本考案に係る情報記録再生装置の実施形態３であるハードディスク（ＨＤ）内蔵型ＤＶＤレコーダの電気的構成を示すブロック図である。
【図１１】実施形態３に係る番組情報の記録時の処理動作を示すフローチャートである。
【符号の説明】
【００６７】
１  制御部
１ａ  ＣＰＵ
１ｂ  メモリ部
１ｃ  カウンタ
２  アンテナ
３  チューナ
４  信号処理部
５  ディスク読書部
６  リモコン受信部
７  表示部
８  操作部
９  ハードディスク（ＨＤ）
１０  ＣＭ検出部
１１  記憶部
１２  ＥＰＧ取得部
１３，１６  時間テーブル格納部
１５  リモコン
２０  ＤＶＤ
３０  テレビ
１１１  電源キー
１１２  テンキー
１１３  ダビングキー
１１４  録画キー
１１５  上下左右キー
１１６  決定キー
【図１】
0003128618.tif 000003
【図２】
0003128618.tif 000004
【図３】
0003128618.tif 000005
【図４】
0003128618.tif 000006
【図５】
0003128618.tif 000007
【図６】
0003128618.tif 000008
【図７】
0003128618.tif 000009
【図８】
0003128618.tif 000010
【図９】
0003128618.tif 000011
【図１０】
0003128618.tif 000012
【図１１】
0003128618.tif 000013